(57)【要約】
【課題】　スピーディーに伸ばしたり、折り畳んで体積を小さくし、収納運搬が便利な折畳可能ロッカーを提供する。
【解決手段】支柱１、支持脚２、第一連接桿部３、第二連接桿部４、第三連接桿部５から構成され、支柱１はロッカーの平面の角地点に配置し、第一固定台１１、第二固定台１２、第一滑動台１３と第二滑動台１４が設置される。支柱１下段には支持脚２を被せる。支持脚２は円弧形状で、第二固定台１２の開槽１２４内に差込み、支持脚２と第二固定台１２が相互に滑動する。また支柱１の間にはそれぞれ第一連接桿部３、第二連接桿部４を枢設し、第三連接桿部５は第一連接桿部３の間に枢設する。第一連接桿部３は、桿体３１が中間でＸ型の剪み式連接桿形態で枢設する。第二連接桿部４は、桿体４１を交差して枢設し、Ｘ型剪み式連接桿形態にする。第二連接桿部４には別に吊設桿４３を設置し、第三連接桿部５の間に掛合して回転可能とする。
【選択図】　　図１
0003100397.tif 000002
【実用新案登録請求の範囲】
【請求項１】
　支柱、支持脚、第一連接桿部、第二連接桿部、第三連接桿部から構成された折畳可能ロッカーであって、
　ロッカーの平面形態の角地点に配置され、第一固定台、第二固定台、第一滑動台及び第二滑動台を設置し、最上端には第一固定台を固定し、底部には第二固定台を固定し、また第一固定台と第二固定台の間には可動カバーとなる第一滑動台、第二滑動台が設置される支柱と、
　固定台内に差込まれ滑動し、最上端には第二滑動台内で固定する支持脚と、
　二本の桿体を中間でＸ型の剪み式連接桿形態に枢設し、更に二組のＸ型剪み式連接桿形態を並列し、隣合う先端を枢設し、繋がった二つのＸ型剪み式連接桿形態にし、また二つのＸ型剪み式連接桿形態の枢設箇所には第一連結端を設置し、第一連接桿部は、二つの隣合う支柱の間に枢設される第一連接桿部と、
　二本の桿体を交差してＸ型剪み式連接桿形態に枢設し、第一連接桿部に設置していない二本の隣合う支柱の間に枢設する第二連接桿部と、
　二本の桿体を交差してＸ型の剪み式連接桿形態に枢設し、二本の桿体は第一連接桿部の第一連結端に枢設される第三連接桿部から構成されることを特徴とする折畳可能ロッカー。
【請求項２】
　前記支柱の第二固定台には開槽が設置され、支持脚を差込んで滑動させることを特徴とする請求項１記載の折畳可能ロッカー。
【請求項３】
　前記第一固定台、第二固定台には、それぞれ突出した嵌入片を設置し、第一滑動台、第二滑動台上にはそれぞれ嵌入孔を設置し、そこに嵌入片を相互に掛合して固定することを特徴とする請求項１記載の折畳可能ロッカー。
【請求項４】
　前記第一固定台、第二固定台及び第一滑動台、第二滑動台には、それぞれ第一枢設端が設置され、第一連接桿部の桿体をそれぞれ前述の第一枢設端に枢設することを特徴とする請求項１記載の折畳可能ロッカー。
【請求項５】
　前記第一固定台、第二固定台及び第一滑動台、第二滑動台には、それぞれ第二枢設端が設置され、第二連接桿部の桿体をそれぞれ前述の第二枢設端に枢設することを特徴とする請求項１記載の折畳可能ロッカー。
【請求項６】
　前記第二連接桿部の桿体枢設箇所には、第二連結端が設置され、第二連結端上には吊設桿が枢設され、吊設桿には掛合孔が設置され、第三連結端両側にはそれぞれフックを設置して、吊設桿の掛合孔に掛合することを特徴とする請求項１記載の折畳可能ロッカー。
【考案の詳細な説明】
【技術分野】
【０００１】
　本考案は、折畳可能ロッカーに関する。
【背景技術】
【０００２】
　今日、一般のロッカー構造は固定式で、任意に折り畳むことが出来ない。そのため、使用しないときには相当な場所をとり、収納が難しく、運搬も容易ではない。市場では、ＤＩＹの組立ロッカーがあるが、フレームは一段一段差込んだり、ネジ止めする方法で、そのため組立時には相当な時間を要し、即座に取り外し不可能で、実用的でない。
【考案の開示】
【考案が解決しようとする課題】
【０００３】
　解決しようとする問題点は、スピーディーに組立、取外しができず、使用しない時の収納に場所をとり、運搬にも不便な点である。
　したがって、本考案は、上記の問題を解決するためになされたものであり、スピーディーに伸ばしたり、開いたり、もしくは折り畳んだり、体積を小さくでき、収納、運搬が便利な折畳可能ロッカーを提供することを目的とする。
【課題を解決するための手段】
【０００４】
　上述の目的を達成するために、本考案の請求項に記載の折畳可能ロッカーは支柱、支持脚、第一連接桿部、第二連接桿部、第三連接桿部から構成される。そのうち、支柱はロッカーの平面の角地点に配置し、支柱下段には支持脚を被せ、伸縮滑動する。また支柱の間にはそれぞれ第一連接桿部、第二連接桿部を枢設し、第三連接桿部は第一連接桿部の間に枢設する。第二連接桿部には別に吊設桿を設置し、第三連接桿部の間に掛合して回転可能とすることを最も主要な特徴とする。
【０００５】
　（考案の効果）
　本考案の折畳可能ロッカーは、スピーディー伸ばしたり、開いたり、もしくは折り畳んだり、体積を小さくでき、収納、運搬が便利であるという利点がある。そして、迅速に取外し可能で、折り畳むことによって体積を縮小し、運搬や収納しやすく、使用が便利であるという目的を実現した。
【考案を実施するための最良の形態】
【０００６】
　以下、本考案の実施例を図面に基づいて説明する。
　図１に示すように、本実施例は、支柱１、支持脚２、第一連接桿部３、第二連接桿部４、第三連接桿部５から構成される。
【０００７】
　支柱１は、ロッカー平面投影形態の角箇所に布設し、本実施例では四本設置される。支柱１には第一固定台１１、第二固定台１２、第一滑動台１３と第二滑動台１４が設置される。そのうち、支柱１の最上端に第一固定台１１を固定し、支柱１の底部に第二固定台１２を固定する。また第一固定台１１と第二固定台１２間の支柱１には可動カバーとして第一滑動台１３、第二滑動台１４を設置する。第一固定台１１と第二固定台１２の詳しい構造は図２に示すとおりで、図２は第一固定台１１の拡大図である（第二固定台１２構造と同じなので、ここでは省略する）。それぞれに第一枢設端１１１、第一枢設端１２１、第二枢設端１１２、第二枢設端１２１、嵌入片１１３、嵌入片１２３及び円弧形の開槽１１４、開槽１２４が設置される。他に第一滑動台１３、第二滑動台１４の詳しい構造は図３に示すとおりで、図３は第一滑動台１３の拡大図である（第二滑動台１４は構造と同じなので、ここでは省略する）。それぞれに第一枢設端１３１、第一枢設端１４１、第二枢設端１３２、第二枢設端１４２、嵌入孔１３３、嵌入孔１４３及び円弧形の開槽１３４、開槽１４４が設置される。
【０００８】
　支持脚２は図４に示すように、この支持脚２は円弧形状で、第二固定台１２の開槽１２４内に差込み、支持脚２と第二固定台１２が相互に滑動する。また支持脚２の最上端は、第二滑動台１４内に固定し、支柱１を第二滑動台１４内で動かし滑動させる。これによって、支柱１と支持脚２は相対して伸縮滑動する。
【０００９】
　第一連接桿部３は、二本の桿体３１が中間でＸ型の剪み式連接桿形態で枢設する。そして二組のＸ型剪み式連接桿形態を並列し、相互に連接する端が繋がって連接した二つのＸ型剪み式形態が構成される。また、この二つのＸ型剪み式連接桿形態の枢設箇所は第一連結端３２に設置される。また第一連接桿部３は四組あり、それぞれ上下に対峙して二つが支柱１の間に設置される。そのうち、二本の支柱１の間は上方の第一連接部３の四つの外端が設置され、それぞれは二本の支柱１の第一固定台１１の第一枢設端１１１及び第一滑動台１３の第一枢設端１３１にそれぞれ枢設する。二本の支柱１間は、下方の第一連接桿部３の四つの外端が、それぞれ二本の支柱１の第二固定台１２の第一枢設端１４１上に固定し、それによって折り畳んで収蔵する。
【００１０】
　第二連接桿部４は、二本の桿体４１を交差して枢設し、Ｘ型剪み式連接桿形態にする。この桿体４１の枢設箇所には第二連結端４２が設置される。第二連接桿部４は四組あり、それぞれ上下に対峙し、まだ設置していない第一連接桿部（もしくは近くの）の二つの隣合う支柱１の間に枢設する。そのうち、二本の支柱１間上方の第二連接桿部４の四つの外端は、二本の支柱１の第一固定台１１の第二枢設端１１２及び第一滑動台１３の第二枢設端１３２にそれぞれ枢設される。二本の支柱１の間に設置する下方の第二連接桿部４の四つの外端は、二本の支柱１の第二固定台１２第二枢設端１２及び第二滑動台１４の第二枢設端１４２上にそれぞれ枢設して、折り畳んで収蔵する。他に上方位置の第二連接桿部４の第二連結端４２上にはそれぞれ吊設桿４３が枢設され、この吊設桿４３の一端には掛合孔４４が設置される。
【００１１】
　第三連接桿部５は、二本の桿体５１が枢設されてＸ型剪み式連接桿体の形態になっており、桿体５１の枢設箇所には第三連結端５２が設置される。図５に示すように、上方位置の第三連結端５２両側にはそれぞれフック５３が設置される。また、第三連接桿部５の四つの外端にはそれぞれ二つの第一連接桿部３の四つの第一連結端３２が枢設され、折曲して折り畳む。
【００１２】
　使用時は、図６に示すように、四本の支持脚２をそれぞれ四つの角方向へ引き伸ばして定位する。また四本の支柱１にある第一滑動台１３を支柱に沿って第一固定台１１下方箇所まで上に引き上げる。同時に第二固定台１２によって支柱１を支持脚２最上端の第二滑動台１４下方箇所まで上げ、また同時に第一連接桿部３、第二連接桿部４、第三連接桿部５をそれぞれ外に向かって引き伸ばし、図７及び図８に示すように、第一固定台１１の嵌入片１１３及び第二固定台１２の嵌入片１２３はそれぞれ第一滑動台１３の嵌入孔１３３及び第二滑動台１４の嵌入孔１４３内に掛合して定位する。また第一連接桿部３、第二連接桿部４、第三連接桿部５を完全に開き、且つ自在に滑らないようにする。そして図９に示すように、第二連接桿部４上の吊設桿４３をその一端の掛合孔４４と第三連接桿部５のフック５３に相互に掛合し、また第二連接桿部４、第三連接桿部５の間に掛け、最後に図１０に示すように、布カバー６を支柱１全体に被せる。このようにして、スピーディーにロッカーが完成する。更に二本の吊設桿４３上にはハンガー７を掛けると、服をかけるのに便利である。
【００１３】
　図１１に示すように、本実施例を折り畳む場合、前述と逆の順で進めればよく、先ず、布カバー６及びハンガー７を取外し、続いて第二連接桿部４上の吊設桿４３をそれぞれ第三連接桿部５のフック５３から取外し、折曲して畳む。続いて第一固定台１１の嵌入片１１３及び第二固定台１２の嵌入片１２３をそれぞれ押し、第一滑動台１３の嵌入孔１３３及び第二滑動台１４の嵌入孔１４３内から外す。そして支柱１を中央に向かって集めて揃え、第一滑動台１３を支柱１に沿って下向きに滑動させ、同時に第二固定台１２によって支柱１を支持脚２底部に動かす。すると第一連接桿部３、第二連接桿部４、第三連接桿部５が完全に折り畳まれ、四本の支柱１は完全に中心に集まり、図１０のようになる。このように完全に折り畳まれ、体積が縮小されるので、収納及び運搬が容易になる。
　（産業上の利用可能性）
　折り畳んで、収納可能なので、住居空間が狭い環境にも適用できる。
【図面の簡単な説明】
【００１４】
【図１】本考案の一実施例による折畳可能ロッカーを示す立体図である。
【図２】本考案の一実施例の第一固定台を示す拡大図である。
【図３】本考案の一実施例の第一滑動台を示す拡大図である。
【図４】本考案の一実施例の支持脚を示す組立断面指示図である。
【図５】本考案の一実施例の第三連接桿及びフックを示す拡大図である。
【図６】本考案の一実施例の完全に開いた使用状態指示図である。
【図７】本考案の一実施例の第一固定台と第一滑動台の掛合を示す断面図である。
【図８】本考案の一実施例の第二固定台と第二滑動台の掛合を示す断面図である。
【図９】本考案の一実施例の吊設桿とフックの掛合を示す指示図である。
【図１０】本考案の一実施例のカバー布を設置した指示図である。
【図１１】本考案の一実施例の折畳状態完成指示図である。
【符号の説明】
【００１５】
　１　支柱、２　支持脚、３　第一連接桿部、４　第二連接桿部、５　第三連接桿部、６　布カバー、７　ハンガー、１１　第一固定台、１２　第二固定台、１３　第一滑動台、１４　第一枢設端、３１　桿体、３２　第一連結端、４１　桿体、４２　第二連結端、４３　吊設桿、４４　掛合孔、５１　桿体、５２　第三連結端、５３　フック、１１１　第一枢設端、１１２　第二枢設端、１１３　嵌入片、１１４　開槽、１２１　第一枢設端、１２２　第二枢設端、１２３　嵌入片、１２４　開槽、１３１　第一枢設端、１３２　第二枢設端、１３３　嵌入孔、１３４　開槽、１４１　第一枢設端、１４２　第二枢設端、１４３　嵌入孔、１４４　開槽
【図１】
0003100397.tif 000003
【図２】
0003100397.tif 000004
【図３】
0003100397.tif 000005
【図４】
0003100397.tif 000006
【図５】
0003100397.tif 000007
【図６】
0003100397.tif 000008
【図７】
0003100397.tif 000009
【図８】
0003100397.tif 000010
【図９】
0003100397.tif 000011
【図１０】
0003100397.tif 000012
【図１１】
0003100397.tif 000013